(57)【要約】【課題】取付孔１２に挿入する取付部材１４の姿勢を所定の状態に規制して、挿入取付作業が容易かつ確実になし得る固定構造を提供する。【解決手段】筐体１０に穿設した取付孔１２の内周面に凹部１２ｂを設け、取付部材１４に外周面より外方に突出するとともに径方向内側に弾性変形可能な舌片１４ａを設け、取付孔１２に舌片１４ａを弾性変形させて取付部材１４を軸方向に挿入し、舌片１４ａが凹部１２ｂに臨んで弾性復帰し係合して抜けを規制し、もって取付孔１２に取付部材１４を固定する。凹部１２ｂの軸方向位置にある取付孔１２の外側縁部に、舌片１４ａを通過させる幅の面取り１２ａを設ける。舌片１４ａの軸回り姿勢を面取り１２ａに合わせて、取付孔１２に取付部材１４を挿入する。【選択図】  図１
2005180472.tif 000002
【特許請求の範囲】
【請求項１】
第１の部材に穿設した取付孔の内周面に凹部または切り欠きを設け、第２の部材に外周面より外方に突出するとともに径方向内側に弾性変形可能な舌片を設け、前記取付孔に前記舌片を弾性変形させて前記第２の部材を軸方向に挿入し、前記舌片が前記凹部または切り欠きに臨んで弾性復帰し係合して抜けを規制し、もって前記第１の部材に前記第２の部材を固定する固定構造において、前記凹部または切り欠きの前記軸方向位置にある前記取付孔の外側縁部に前記舌片を通過させる幅の面取りを設けて構成したことを特徴とする固定構造。
【請求項２】
請求項１記載の固定構造において、前記取付孔に挿入された状態で前記第２の部材を軸回りに相対的に回動可能とし、前記回動により当接する前記舌片または前記凹部または切り欠きの周方向の当接部分の少なくとも一方に前記舌片を前記径方向内側に弾性変形させる斜面または曲面を設けて構成したことを特徴とする固定構造。
【請求項３】
第１の部材に穿設した取付孔の内周面に凹部または切り欠きを設け、第２の部材に外周面より外方に突出するとともに径方向内側に弾性変形可能な舌片を設け、前記取付孔に前記舌片を弾性変形させて前記第２の部材を軸方向に挿入し、前記舌片が前記凹部または切り欠きに臨んで弾性復帰し係合して抜けを規制し、もって前記第１の部材に前記第２の部材を固定する固定構造において、前記第２の部材の外周面に突起部を設け、前記凹部または切り欠きに前記舌片が前記軸方向で一致する相対姿勢で前記突起部の前記軸方向位置にある前記取付孔の外側縁部から内周面に前記軸方向に前記突起部が通過し得る縦溝を設けて構成したことを特徴とする構造。
【請求項４】
請求項３記載の固定構造において、前記取付孔に挿入された状態で前記第２の部材を軸回りに相対的に回動可能とし、前記回動により当接する前記舌片または前記凹部または切り欠きの周方向の当接部分の少なくとも一方に前記舌片を前記径方向内側に弾性変形させる斜面または曲面を設け、前記軸回りの相対的な回動で前記突起部が通過し得る周溝を前記取付孔の内周面に設け、前記軸回りの相対的な回動で前記舌片が前記凹部または切り欠きから係合が外れた相対的な姿勢で前記取付孔から前記第２の部材の引き抜きにより前記突起部が通過し得る第２縦溝を前記取付孔の内周面から外側縁部に設けて構成したことを特徴とする固定構造。
【発明の詳細な説明】
【技術分野】
【０００１】
本発明は、第１の部材の取付孔の内周面に凹部または切り欠きを設け、外方に突出して径方向内側に弾性変形可能な舌片を設けた第２の部材を前記取付孔に挿入し、前記凹部または切り欠きに前記舌片を係合させて、引き抜きを規制する固定構造に関するものである。
【背景技術】
【０００２】
携帯電話機等のアンテナの取付構造の一例が、特開２０００−２５２７２７号公報に示されている。この従来技術は、アンテナ側取付部に外周面より係合部が外方に突出するとともに径方向内側に弾性変形可能な舌片を設け、筐体側の取付孔に、舌片を径方向内側に弾性変形させながらアンテナ側取付部を挿入し、舌片の係合部が取付孔の筐体内側縁に至って弾性復帰して縁部に係合部が係合して引き抜きが規制される。しかも、取付孔内でアンテナ側取付部を軸回りに回動させると、舌片の係合部が当接する取付孔の筐体側縁に斜面または曲面が設けられていて、舌片が径方向内側に弾性変形するように構成される。
【０００３】
もって、取付孔にアンテナ側取付部を挿入して係合させることで引き抜きが規制されて筐体にアンテナ側取付部が簡単に固定され、しかも固定されたアンテナ側取付部を軸回りに回転させて舌片の係合を外してその後引き抜くことで簡単に筐体からアンテナ側取付部を取り外すことができる。アンテナの交換などが極めて簡単になし得る。
【発明の開示】
【発明が解決しようとする課題】
【０００４】
上記従来技術にあっては、舌片の係合部が係合し得る取付孔の筐体内側縁の位置と、舌片の位置とを軸方向に一致させて、取付孔にアンテナ側取付部を挿入させなければならない。しかるに、取付孔に対してアンテナ側取付部の軸回り姿勢を所定の状態とする手段が設けられておらず、感に頼った挿入取付作業がなされていた。
【０００５】
本発明は、上述の従来技術の事情に鑑みてなされたもので、取付孔に挿入する姿勢が所定の状態に規制され、挿入取付作業が容易かつ確実になし得る固定構造を提供することを目的とする。
【課題を解決するための手段】
【０００６】
かかる目的を達成するために本発明の固定構造は、第１の部材に穿設した取付孔の内周面に凹部または切り欠きを設け、第２の部材に外周面より外方に突出するとともに径方向内側に弾性変形可能な舌片を設け、前記取付孔に前記舌片を弾性変形させて前記第２の部材を軸方向に挿入し、前記舌片が前記凹部または切り欠きに臨んで弾性復帰し係合して抜けを規制し、もって前記第１の部材に前記第２の部材を固定する固定構造において、前記凹部または切り欠きの前記軸方向位置にある前記取付孔の外側縁部に前記舌片を通過させる幅の面取りを設けて構成されている。
【０００７】
そして、前記取付孔に挿入された状態で前記第２の部材を軸回りに相対的に回動可能とし、前記回動により当接する前記舌片または前記凹部または切り欠きの周方向の当接部分の少なくとも一方に前記舌片を前記径方向内側に弾性変形させる斜面または曲面を設けて構成することもできる。
【０００８】
また、本発明の固定構造は、第１の部材に穿設した取付孔の内周面に凹部または切り欠きを設け、第２の部材に外周面より外方に突出するとともに径方向内側に弾性変形可能な舌片を設け、前記取付孔に前記舌片を弾性変形させて前記第２の部材を軸方向に挿入し、前記舌片が前記凹部または切り欠きに臨んで弾性復帰し係合して抜けを規制し、もって前記第１の部材に前記第２の部材を固定する固定構造において、前記第２の部材の外周面に突起部を設け、前記凹部または切り欠きに前記舌片が前記軸方向で一致する相対姿勢で前記突起部の前記軸方向位置にある前記取付孔の外側縁部から内周面に前記軸方向に前記突起部が通過し得る縦溝を設けて構成しても良い。
【０００９】
そして、前記取付孔に挿入された状態で前記第２の部材を軸回りに相対的に回動可能とし、前記回動により当接する前記舌片または前記凹部または切り欠きの周方向の当接部分の少なくとも一方に前記舌片を前記径方向内側に弾性変形させる斜面または曲面を設け、前記軸回りの相対的な回動で前記突起部が通過し得る周溝を前記取付孔の内周面に設け、前記軸回りの相対的な回動で前記舌片が前記凹部または切り欠きから係合が外れた相対的な姿勢で前記取付孔から前記第２の部材の引き抜きにより前記突起部が通過し得る第２縦溝を前記取付孔の内周面から外側縁部に設けて構成することもできる。
【発明の効果】
【００１０】
請求項１記載の固定構造は、取付孔の凹部または切り欠きの軸方向位置にある取付孔の縁部に舌片を通過させる幅の面取りを設けたので、この面取りに舌片の軸回り位置を合わせて挿入することで、確実に舌片を取付孔の凹部または切り欠きに係合させることができる。しかも、面取りにより舌片は円滑に径方向内側に弾性変形され、挿入作業が円滑になし得る。
【００１１】
そして、請求項２記載の固定構造は、舌片が設けられた第２の部材を軸回りに回動させることで、斜面または曲面により舌片が径方向内側に弾性変形されて係合が外れ、従来技術と同様に簡単に第２の部材を取り外すことができる。
【００１２】
また、請求項３記載の固定構造では、取付孔の外側縁部から内周面に軸方向に設けた縦溝に、第２の部材に設けた突起部を合わせることで、取付孔の凹部または切り欠きに舌片の軸方向位置が一致するので、挿入係合が確実になし得る。
【００１３】
そして、請求項４記載の固定構造では、舌片の係合が外れる位置で、取付孔の内周面の周溝により、突起部回動が規制され、もって第２の部材の軸回り角度が規制される。
【発明を実施するための最良の形態】
【００１４】
以下、本発明の第１実施例を図１ないし図７を参照して説明する。図１は、本発明の固定構造の第１実施例の取り付け取り外し操作を示す図であり、（ａ）は取付孔に挿入する操作を示し、（ｂ）は挿入により舌片が凹部に係合して固定された状態を示し、（ｃ）は取付孔内で軸回りに回動させて舌片の係合を外す操作を示し、（ｄ）は舌片の係合を外した状態で取付孔から引き抜く操作を示す。図２は、図１（ａ）のＡ−Ａ矢視断面拡大図である。図３は、図１（ａ）のＢ−Ｂ矢視断面拡大図である。図４は、図１（ａ）のＣ−Ｃ矢視断面拡大図である。図５は、図１（ｂ）のＤ−Ｄ矢視断面拡大図である。図６は、図１（ｃ）のＥ−Ｅ矢視断面拡大図である。図７は、取付部材を示し、（ａ）は正面図、（ｂ）は（ａ）のＦ−Ｆ矢視断面図、（ｃ）は（ａ）のＧ−Ｇ矢視断面図である。
【００１５】
図１ないし図７に示す第１実施例は本発明の固定構造を携帯電話機の引き出し収納自在なアンテナの取付に応用したものである。まず、第１の部材としての携帯電話機の筐体１０に、取付孔１２が貫通穿設される。この取付孔１２の外側縁部に一定の幅の面取り１２ａが形成され、この面取り１２ａと同じ軸方向位置の内周面に凹部１２ｂが形成される。また、第２の部材としての取付部材１４は、樹脂などで形成され、挿入部方向先端側を基端とする舌片１４ａが設けられ、この舌片１４ａは遊端側が外周面より外方に突出するとともに径方向内側に弾性変形可能とされる。そして、舌片１４ａは基端側より遊端に渡りその外面は滑らかな斜面で形成され、しかも周方向片側には面取りしたような斜面１４ｂが形成される。さらに、取付部材１４の上面には軸回りに一方向に回動操作し得る回動用溝１４ｃが形成される。なお、取付部材１４は略円筒状で、その内周面に給電バネ１６が配設され、取付部材１４内に挿通されて引き出しおよび収納自在のロッド状アンテナなエレメント１８に適宜に弾接して電気的に接続されるように構成される。
【００１６】
そこで、図１（ａ）のごとく、取付孔１２の面取り１２ａに、取付部材１４の舌片１４ａの軸回り位置を合わせて、取付孔１２に取付部材１４を挿入する。ここで、面取り１２ａの幅は、舌片１４ａを挿通させるだけの寸法とされる。この挿入の際に、舌片１４ａは面取り１２ａの案内により円滑に径方向内側に弾性変形して挿入が許容される。しかも、所定量だけ挿入されて舌片１４ａが凹部１２ｂに臨むと、舌片１４ａは弾性復帰し、図１（ｂ）のごとく係合状態となり、引き抜きが規制される。ここで、凹部１２ｂと面取り１２ａが同じ軸方向位置に形成されているので、舌片１４ａが凹部１２ｂに確実に係合し得る。
【００１７】
さらに、図１（ｃ）に示すごとく、取付部材１４の回動用溝１４ｃに取り外し用治具２０を当てて取付部材１４を所定方向に軸回りに回動させると、舌片１４ａの斜面１４ｂが凹部１２ｂの周方向の縁に当接し、楔効果により舌片１４ａを径方向内側に押圧する力が作用し、舌片１４ａは径方向内側に弾性変形されて凹部１２ｂとの係合が外れるとともに回動が許容される。そして、舌片１４ａが係合していない状態で、図１（ｄ）のごとく取付孔１２から取付部材１４を引き抜いて取り外すことができる。
【００１８】
かかる構成からなる第１実施例にあっては、取付孔１２に取付部材１４を取り付ける際には、取付孔１２の面取り１２ａにより凹部１２ｂの位置に取付部材１４の舌片１４ａの軸方向位置が合わせられ、挿入により確実かつ容易に舌片１４ａを凹部１２ｂに係合させることができる。しかも、舌片１４ａに設けた斜面１４ｂにより取付部材１４を回動させることで舌片１４ａの係合が外れ、容易に引き抜くことができる。もって、アンテナの交換等が極めて容易である。
【００１９】
次に、本発明の第２実施例を図８ないし図１２を参照して説明する。図８は、本発明の固定構造の第２実施例の取り付け取り外し操作を示す図であり、（ａ）は取付孔に挿入する操作を示し、（ｂ）は挿入により舌片が切り欠きに係合して固定された状態を示し、（ｃ）は取付孔内で軸回りに回動させて舌片の係合を外す操作を示す。図９は、図８（ａ）のＨ矢視拡大図である。図１０は、図８（ａ）のＩ−Ｉ矢視断面拡大図である。図１１は、図８（ｂ）のＪ−Ｊ矢視断面拡大図である。図１２は、図８（ｃ）のＫ−Ｋ矢視断面拡大図である。
【００２０】
図８ないし図１２に示す第２実施例は、本発明の固定構造を、機器ケースに回路基板などを固定する固定構造に応用したものである。機器ケースに突設された第１の部材としての取付ボス２０に取付孔２２が穿設され、取付孔２２の内周面に切り欠き２２ａが形成され、切り欠き２２ａの周方向片側の縁に面取り状の斜面または曲面２２ｂが設けられる。さらに、取付孔２２の外側縁部から軸方向に２つの縦溝２２ｃ，２２ｄが設けられ、この２つの縦溝２２ｃ、２２ｄは周方向の周溝２２ｅで連結されている。また、第２の部材としての取付ピン２４には、挿入方向先端側を基端とする舌片２４ａが設けられ、この舌片２４ａは遊端側が外周面より外方に突出するとともに径方向内側に弾性変形可能とされる。そして、舌片２４ａは基端側より遊端に渡りその外面は滑らかな斜面で形成され、しかも取付孔２２の切り欠き２２ａの斜面または曲面２２ｂに当接する周方向片側には面取りしたような斜面２４ｂが形成される。さらに、取付ピン２４の挿入と反対側の端部に膨大部２４ｃが形成される。そしてまた、取付ピン２４の先端側の外周面に突起部２４ｄが穿設される。ここで、取付孔２２に取付ピン２４を挿入した際に、取付孔２２の切り欠き２２ａに取付ピン２４の舌片２４ａが係合できる軸回り相対姿勢で、取付ピン２４の突起部２４ｄが取付孔２２の一方の縦溝２２ｃに臨むように構成される。しかも、取付孔２２の切り欠き２２ａの斜面または曲面２２ｂに取付ピン２４の舌片２４ａの斜面２２ｂが当接するように取付ピン２４を回動させると、突起部２４ｄが縦溝２２ｃに連通した周溝２２ｅを通過し得るようになされ、さらに取付ピン２４の回動により舌片２４ａが径方向内側に弾性変形されて切り欠き２２ａとの係合が外れた状態で、突起部２４ｄは周溝２２ｅを通過し他方の縦溝２２ｄに至るように形成され、取付ピン２４の回動が規制されるようになされている。なお、取付ボス２０に固定される基板２６には、図９に示すごとく、２つの縦溝２２ｃ，２２ｄを有する取付孔２２の外側端縁の開口形状の穴２６ａが穿設されている。
【００２１】
かかる構成の第２実施例において、取付ボス２０上に基板２６を載置し、取付孔２２と基板２６の穴２６ａを一致させて、取付孔２２に取付ピン２４を挿入する。この挿入の際に取付ピン２４の突起部２４ｄを一方の縦溝２２ｄに一致した軸回り姿勢とする。すると、突起部２４ｄは一方の縦溝２２ｄを通過し、舌片２４ａは弾性変形して挿入が許容され、舌片２４ａが切り欠き２２ａに臨むまで挿入されると舌片２４ａは弾性復帰して係合がなされる。これと同時に突起部２４ｄは縦溝２２ｄの終端に到達して挿入が規制される。もって、基板２６が簡単に取付ボス２０に固定される。
【００２２】
そして、係合状態にある取付ピン２４を適宜に回動させれば、取付ピン２４の舌片２４ａの斜面２４ｂと取付孔２２の斜面または曲面２２ｂが当接して舌片２４ａは径方向内側に弾性変形させて係合が外れ、同時に突起部２４ｄは周溝２２ｅを通過し、係合が外れた状態で突起部２４ｄは周溝２２ｅの終端に到達し、回動が規制される。そこで、突起部２４ｄを他方の縦溝２２ｄを通過させて取付ピン２４を取付孔２２から引き抜くことができる。もって、基板２６を取付ボス２０から簡単に取り外すことができる。
【００２３】
さらに、本発明の第３実施例を図１３ないし図１５を参照して説明する。図１３は、本発明の固定構造の第３実施例の要部を縦に断面した図である。図１４は、図１３のＬ−Ｌ矢視断面拡大図である。図１５は、図１３のＭ−Ｍ矢視断面拡大図である。
【００２４】
図１３ないし図１５に示す第３実施例は、本発明の固定構造を携帯電話機の外方に突出して固定されるアンテナの取付に応用したものである。まず、第１の部材としての携帯電話機の筐体３０に取付孔３２が貫通して穿設され、取付孔３２の内側端部に切り欠き３２ａが設けられる。そして、切り欠き３２ａの周方向片側の縁に略面取り状の曲面３２ｂが形成される。また、この切り欠き３２ａと同じ軸方向位置にある取付孔３２の外側縁部に一定の幅の面取り３２ｃが形成される。さらに、取付孔３２の内周壁に外側縁部より軸方向に２本の縦溝３２ｄ，３２ｅが形成され、これらの縦溝３２ｄ，３２ｅの内側端部が周方向の周溝３２ｆにより連通される。
【００２５】
そして、第２の部材としての取付部材３４は、アンテナエレメント３６の基端側に配設され、挿入方向先端側を遊端とする舌片３４ａが設けられ、この舌片３４ａの遊端に外周面より外方に突出した係合部３４ｂが設けられる。舌片３４ａは少なくとも係合部３４ｂの先端が外周面と一致するまで径方向内側に弾性変形可能とされる。また、取付部材３４の先端側の外周面に突起部３４ｃが設けられる。
【００２６】
ここで、取付孔３２の外周縁部に設けられた面取り３２ｃの幅は、取付部材３４の舌片３４ａを通過させ得る幅に設定される。また、面取り３２ｃに舌片３４ａを一致させた軸回り姿勢で、取付孔３２の外側縁部から内周面に設けたれた一方の縦溝３２ｄに取付部材３４の突起部３４ｃが臨む位置とされる。さらに、舌片３４ａを切り欠き３２ａの曲面３２ｂに当接方向に取付部材３４を取付孔３２内で軸回りに回動させると、突起部３４ｃが周溝３２ｆを通過するように形成される。そして、舌片３４ａが切り欠き３２ａから係合が外れた位置にまで回動されると、周溝３２ｆを通過した突起部３４ｃが他方の縦溝３２ｅに到るように形成される。
【００２７】
かかる構成からなる第３実施例にあっては、取付部材３４の舌片３４ａと突起部３４ｃを、取付孔３２の面取り３２ｃと一方の縦溝３２ｄに挿入すれば、簡単かつ確実に取付部材３４が固定される。そして、固定状態から、取付部材３４を軸回りに回動させ、回動が規制されれば、取付孔３２から取付部材３４を引き抜くことで容易に取り外しがなし得る。
【００２８】
なお、上記実施例では、取付孔１２，２２，３２および取付部材１４，３４と取付ピン２４は、いずれも軸方向と直交する断面が円形とされているが、軸回りの回動により舌片１４ａ，２４ａ，３４ａの係合を外すためには、取付孔１２，２２，３２内で、取付部材１４，３２と取付ピン２４が軸回りに回動できれば良く、断面円形に限られるものでない。さらに、軸回りの回動により舌片１４ａ，２４ａ，３４ａの係合を外す構成を必要としなければ、取付孔１２，２２，３２に取付部材１４，３４と取付ピン２４が挿入できればいかなる断面形状であっても良い。
【図面の簡単な説明】
【００２９】
【図１】本発明の固定構造の第１実施例の取り付け取り外し操作を示す図であり、（ａ）は取付孔に挿入する操作を示し、（ｂ）は挿入により舌片が凹部に係合して固定された状態を示し、（ｃ）は取付孔内で軸回りに回動させて舌片の係合を外す操作を示し、（ｄ）は舌片の係合を外した状態で取付孔から引き抜く操作を示す。
【図２】図１（ａ）のＡ−Ａ矢視断面拡大図である。
【図３】図１（ａ）のＢ−Ｂ矢視断面拡大図である。
【図４】図１（ａ）のＣ−Ｃ矢視断面拡大図である。
【図５】図１（ｂ）のＤ−Ｄ矢視断面拡大図である。
【図６】図１（ｃ）のＥ−Ｅ矢視断面拡大図である。
【図７】取付部材を示し、（ａ）は正面図、（ｂ）は（ａ）のＦ−Ｆ矢視断面図、（ｃ）は（ａ）のＧ−Ｇ矢視断面図である。
【図８】本発明の固定構造の第２実施例の取り付け取り外し操作を示す図であり、（ａ）は取付孔に挿入する操作を示し、（ｂ）は挿入により舌片が切り欠きに係合して固定された状態を示し、（ｃ）は取付孔内で軸回りに回動させて舌片の係合を外す操作を示す。
【図９】図８（ａ）のＨ矢視拡大図である。
【図１０】図８（ａ）のＩ−Ｉ矢視断面拡大図である。
【図１１】図８（ｂ）のＪ−Ｊ矢視断面拡大図である。
【図１２】図８（ｃ）のＫ−Ｋ矢視断面拡大図である。
【図１３】本発明の固定構造の第３実施例の要部を縦に断面した図である。
【図１４】図１３のＬ−Ｌ矢視断面拡大図である。
【図１５】図１３のＭ−Ｍ矢視断面拡大図である。
【符号の説明】
【００３０】
１０，３０  筐体
１２，２２，３２  取付孔
１２ａ，３２ｃ  面取り
１２ｂ  凹部
１４，３４  取付部材
１４ａ，２４ａ，３４ａ  舌片
１４ｂ，２４ｂ  斜面
１４ｃ  回動用溝
１６  給電バネ
１８  ロッド状アンテナエレメント
２０  取付ボス
２２ａ，３２ａ  切り欠き
２２ｂ，３２ｂ  曲面
２２ｃ，２２ｄ，３２ｄ，３２ｅ  縦溝
２２ｅ，３２ｆ  週溝
２４  取付ピン
２４ｃ  膨大部
２４ｄ，３４ｃ  突起部
２６  基板
２６ａ  穴
３４ｂ  係合部
３６  アンテナエレメント
【図１】
2005180472.tif 000003
【図２】
2005180472.tif 000004
【図３】
2005180472.tif 000005
【図４】
2005180472.tif 000006
【図５】
2005180472.tif 000007
【図６】
2005180472.tif 000008
【図７】
2005180472.tif 000009
【図８】
2005180472.tif 000010
【図９】
2005180472.tif 000011
【図１０】
2005180472.tif 000012
【図１１】
2005180472.tif 000013
【図１２】
2005180472.tif 000014
【図１３】
2005180472.tif 000015
【図１４】
2005180472.tif 000016
【図１５】
2005180472.tif 000017